(57)【要約】【課題】コネクタの挿入部に対して斜めに挿入されることを抑制可能なフレキシブル配線板を提供する。【解決手段】本発明に係るフレキシブル配線板は、コネクタの挿入部に挿入されるフレキシブル配線板であって、帯状のベースフィルムを有する本体部と、前記本体部に設けられる導体パターンと、前記本体部に設けられ、前記コネクタへの挿入方向である第１方向に延びるマークと、を備える。前記コネクタの前記挿入部は、前記第１方向と直交する第２方向に延び、当該挿入部に挿入されることにより、前記コネクタと前記導体パターンとが電気的に接続される。【選択図】図１
2020155723.tif 000002
【特許請求の範囲】
【請求項１】
コネクタの挿入部に挿入されるフレキシブル配線板であって、
帯状のベースフィルムを有する本体部と、
前記本体部に設けられる導体パターンと、
前記本体部に設けられ、前記コネクタへの挿入方向である第１方向に延びるマークと、
を備え、
前記コネクタの前記挿入部は、前記第１方向と直交する第２方向に延び、
当該挿入部に挿入されることにより、前記コネクタと前記導体パターンとが電気的に接続される、
フレキシブル配線板。
【請求項２】
前記マークの前記第１方向に沿った長さは、前記本体部の前記第２方向に沿った幅よりも長い、
請求項１に記載のフレキシブル配線板。
【請求項３】
前記本体部は、補強板を有し、
前記マークは、前記補強板と前記本体部における前記補強板以外の部位との双方に跨って設けられる、
請求項１又は２に記載のフレキシブル配線板。
【請求項４】
前記本体部は、補強板を有し、
前記マークは、前記補強板に設けられる、
請求項１に記載のフレキシブル配線板。
【請求項５】
前記マークは、前記コネクタに設けられ前記第１方向に延びるコネクタ側マーキングに対して前記第２方向で対応する位置に設けられる、
請求項１から４のいずれか１項に記載のフレキシブル配線板。
【請求項６】
前記マークは、印刷、レーザーマーキング、刻印及びスリットのいずれかである、
請求項１から５のいずれか１項に記載のフレキシブル配線板。
【発明の詳細な説明】
【技術分野】
【０００１】
本発明は、フレキシブル配線板に関する。
【背景技術】
【０００２】
導体パターンが設けられたフレキシブル配線板が公知である（例えば、特許文献１参照）。このフレキシブル配線板の端部がコネクタの挿入部に挿入されることにより、コネクタの接点と導体パターンとが電気的に接続される。
【先行技術文献】
【特許文献】
【０００３】
【特許文献１】特開２０００−２５２５９８号公報
【発明の概要】
【発明が解決しようとする課題】
【０００４】
しかし、フレキシブル配線板がコネクタの挿入部に対して斜めに挿入されると、コネクタの接点とフレキシブル配線板の導体パターンとが接触不良を生じる可能性がある。
【０００５】
本発明は、上記に鑑みてなされたものであって、コネクタの挿入部に対して斜めに挿入されることを抑制可能なフレキシブル配線板を提供することを目的とする。
【課題を解決するための手段】
【０００６】
上述した課題を解決し、目的を達成するために、本発明に係るフレキシブル配線板は、コネクタの挿入部に挿入されるフレキシブル配線板であって、帯状のベースフィルムを有する本体部と、前記本体部に設けられる導体パターンと、前記本体部に設けられ、前記コネクタへの挿入方向である第１方向に延びるマークと、を備え、前記コネクタの前記挿入部は、前記第１方向と直交する第２方向に延び、当該挿入部に挿入されることにより、前記コネクタと前記導体パターンとが電気的に接続される。
【発明の効果】
【０００７】
本発明によれば、フレキシブル配線板がコネクタの挿入部に対して斜めに挿入されることが抑制される。
【図面の簡単な説明】
【０００８】
【図１】図１は、第１実施形態に係る配線板ユニットを示す模式図である。
【図２】図２は、第２実施形態に係る配線板ユニットを示す模式図である。
【図３】図３は、フレキシブル配線板の端部がコネクタに対して斜めに傾斜した状態を示す模式図である。
【図４】図４は、第３実施形態に係る配線板ユニットを示す模式図である。
【図５】図５は、第４実施形態に係る配線板ユニットを示す模式図である。
【図６】図６は、第５実施形態に係る配線板ユニットを示す模式図である。
【発明を実施するための形態】
【０００９】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。
【００１０】
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
[第１実施形態]
まず、第１実施形態に係るフレキシブル配線板について説明する。図１は、第１実施形態に係る配線板ユニットを示す模式図である。
【００１２】
配線板ユニット１００は、フレキシブル配線板１と、コネクタ２と、を備える。フレキシブル配線板１は、本体部１３と、マーク３と、を有する。
【００１３】
本体部１３は、図示しない帯状のベースフィルムと、本体部１３の先端部１４に設けられる補強板４と、を備える。図１における上下方向は、第１方向Ｄ１である。第１方向Ｄ１は、フレキシブル配線板１の挿入方向及びフレキシブル配線板１の延びる方向でもある。即ち、フレキシブル配線板１、本体部１３及び本体部１３を構成するベースフィルムは、第１方向Ｄ１に沿って長尺状に延びる帯状体に形成されている。第１方向Ｄ１に直交する方向は、第２方向Ｄ２である。本体部１３の幅方向は、第２方向Ｄ２である。本体部１３の幅方向の一方側端縁１１と他方側端縁１２との第２方向Ｄ２に沿った距離は、本体部１３の幅Ｗである。なお、本体部１３は図示しない導体パターンがベースフィルムに設けられる。なお、ベースフィルムの材質は、例えばポリイミド等を適用することができる。導体パターンは、ベースフィルムにおける第１方向Ｄ１の先端まで延びている。本体部１３における第１方向Ｄ１の先端部１４には、補強板４が固定される。補強板４は、第２方向Ｄ２に沿って細長く延びる、平面視で矩形状の形状を有する。補強板４は、ベースフィルムの表面側に固定される。補強板４は、一方側の側端４１と、他方側の側端４２と、端縁４３と、を有する。一方側の側端４１は、本体部１３の一方側端縁１１の延長線上に配置される。他方側の側端４２は、本体部１３の他方側端縁１２の延長線上に配置される。端縁４３は、一方側の側端４１及び他方側の側端４２と直交する。なお、フレキシブル配線板１として、例えばフレキシブルフラットケーブル又はフレキシブルプリント基板などを適用することができる。フレキシブルフラットケーブルは、ＦＦＣ（Ｆｌｅｘｉｂｌｅ  Ｆｌａｔ  Ｃａｂｌｅ）とも称され、フレキシブルプリント基板は、ＦＰＣ（Ｆｌｅｘｉｂｌｅ  Ｐｒｉｎｔｅｄ  Ｃｉｒｃｕｉｔ）とも称される。
【００１４】
マーク３は、平面視でＴ字の形状を有する。マーク３は、第１方向Ｄ１に延びる第１ライン３１と、第２方向Ｄ２に延びる第２ライン３２と、を備える。第１ライン３１及び第２ライン３２は、それぞれ直線状に延びる。第１ライン３１は、本体部１３の幅方向（第２方向Ｄ２）の中央に配置される。第１ライン３１は、第１方向Ｄ１の一端部３１ａから他端部３１ｂまで延びており、一端部３１ａと他端部３１ｂとの第１方向Ｄ１に沿った長さはＬである。即ち、マーク３の第１方向Ｄ１に沿った長さはＬである。この長さＬは、本体部１３の幅Ｗよりも長い。第２ライン３２は、第２方向Ｄ２の一端部３２ａから他端部３２ｂまで延びている。第２ライン３２における第２方向Ｄ２の中央部は、第１ライン３１の一端部３１ａと接続される。第２ライン３２の第２方向Ｄ２に沿った長さは、本体部１３の幅Ｗよりも短い。第２ライン３２は、補強板４に設けられる。第１ライン３１は、補強板４と、本体部１３における補強板４以外の部位と、に跨って設けられる。換言すると、第１ライン３１は、補強板４に施された部分３１ｃと、本体部１３における補強板４以外の部位に施された部分３１ｄと、が繋がって設けられる。
【００１５】
なお、マーク３は、印刷、レーザーマーキング及び刻印などを適用することができる。印刷は、例えばシルク印刷を適用することができる。刻印は、例えば、樹脂製の補強板４を成形する際の金型に凹凸形状を設けて凸部や凹部の刻印を成形する。
【００１６】
コネクタ２は、挿入部２１と、支持部２２と、フランジ２３と、を備える。挿入部２１は、コネクタ２におけるフレキシブル配線板１側の端部に設けられる。挿入部２１の第２方向Ｄ２に沿った長さは、フレキシブル配線板１の幅Ｗよりも長い。挿入部２１には、フレキシブル配線板１の先端部に設けた補強板４が挿入される。挿入部２１におけるフレキシブル配線板１側の縁２１ａは、第２方向Ｄ２に沿って延びる。従って、縁２１ａとマーク３の第１ライン３１とは直交し、縁２１ａと第２ライン３２とは平行に配置される。挿入部２１には、図示しない接点が設けられる。従って、フレキシブル配線板１の補強板４が挿入部２１に挿入されると、挿入部２１の接点とフレキシブル配線板１の導体パターンとが電気的に接続される。支持部２２は、挿入部２１を支持する部材である。支持部２２における第２方向Ｄ２の両端には、第２方向Ｄ２に突出する一対のフランジ２３が設けられる。
【００１７】
以上説明したフレキシブル配線板１は、コネクタ２への挿入方向である第１方向Ｄ１に延びる第１ライン３１（マーク３）を備え、コネクタ２の挿入部２１は、第１方向Ｄ１と直交する第２方向Ｄ２に延びる。
【００１８】
従って、第１ライン３１（マーク３）とコネクタ２の挿入部２１とを平面視で比較し、互いに直交していることが視認できれば、フレキシブル配線板１がコネクタ２に斜め方向に挿入されていないことが確認できる。これにより、コネクタ２の接点とフレキシブル配線板１の導体パターンとの接触不良を防ぐことが可能となる。
【００１９】
また、第１ライン３１（マーク３）の第１方向Ｄ１に沿った長さＬは、本体部１３の第２方向Ｄ２に沿った幅Ｗよりも長い。これにより、第１ライン３１（マーク３）とコネクタ２の挿入部２１とが互いに直交していることが更に容易に視認することができる。
【００２０】
さらに、第１ライン３１（マーク３）は、補強板４と本体部１３における補強板４以外の部位との双方に跨って設けられる。これにより、コネクタ２の挿入部２１側に、より近接した位置に第１ライン３１（マーク３）を配置することができる。従って、第１ライン３１とコネクタ２の挿入部２１とが互いに直交していることが更に容易に視認することができる。
【００２１】
そして、マーク３は、印刷、レーザーマーキング及び刻印のいずれかを適用することができるため、フレキシブル配線板１の材質又は配線板ユニット１００を適用する部位（例えば、車両のカーナビゲーションシステムに適用する場合など）に応じて最も適切な手段を選択することができる。
【００２２】
[第２実施形態]
第２実施形態に係るフレキシブル配線板について説明する。図２は、第２実施形態に係る配線板ユニットを示す模式図である。図３は、フレキシブル配線板の端部がコネクタに対して斜めに傾斜した状態を示す模式図である。第１実施形態では、フレキシブル配線板１のみにマーク３を設けたが、第２実施形態では、コネクタにもコネクタ側マーキングを設けている。以下に説明する。
【００２３】
図２に示すように、配線板ユニット１００Ａは、フレキシブル配線板１と、コネクタ２Ａと、を備える。
【００２４】
コネクタ２Ａは、挿入部２１と、支持部２２と、フランジ２３と、を備える。挿入部２１には、コネクタ側マーキング３３が設けられる。コネクタ側マーキング３３は、第１方向Ｄ１に沿って延びる。コネクタ側マーキング３３は、挿入部２１における第２方向Ｄ２の中央に配置される。即ち、コネクタ側マーキング３３は、マーク３の第１ライン３１と第２方向Ｄ２で対応する位置に設けられる。また、コネクタ側マーキング３３は、挿入部２１における支持部２２側の端縁からフレキシブル配線板１側の端縁まで第１方向Ｄ１に沿って延びる。
【００２５】
支持部２２には、コネクタ側マーキング３４が設けられる。コネクタ側マーキング３４は、第１方向Ｄ１に沿って延びる。コネクタ側マーキング３４は、マーク３の第１ライン３１及びコネクタ側マーキング３３と第２方向Ｄ２で対応する位置に設けられる。つまり、コネクタ側マーキング３３と、コネクタ側マーキング３４と、マーク３の第１ライン３１とは、第１方向Ｄ１に沿って同一直線上を延びる。なお、以下、コネクタ側マーキング３３及びコネクタ側マーキング３４を中心線とも称する。
【００２６】
図２及び図３を用いて、フレキシブル配線板１をコネクタ２Ａに挿入する際に、フレキシブル配線板１がコネクタ２Ａの前記中心線の同一直線上に挿入される場合（図２）と、フレキシブル配線板１がコネクタ２Ａの前記中心線に対して斜めに挿入される場合（図３）と、を比較して説明する。
【００２７】
図２の場合は、前述したように、コネクタ側マーキング３３及びコネクタ側マーキング３４と、マーク３の第１ライン３１とは、第１方向Ｄ１に沿って同一直線上を延びていることが視認できる。なお、挿入部２１におけるフレキシブル配線板１側の縁２１ａとマーク３の第１ライン３１とが、直交していることが視認できる。また、挿入部２１におけるフレキシブル配線板１側の縁２１ａとマーク３の第２ライン３２とが、平行であることが視認できる。
【００２８】
図３の場合は、コネクタ側マーキング３３及びコネクタ側マーキング３４と、マーク３の第１ライン３１とは、第１方向Ｄ１に沿って同一直線上を延びていないことが視認できる。即ち、コネクタ側マーキング３３及びコネクタ側マーキング３４と、マーク３の第１ライン３１とが、交差角θで斜めに交差していることが視認できる。なお、挿入部２１におけるフレキシブル配線板１側の縁２１ａとマーク３の第１ライン３１とが、直交していないことを視認してもよい。また、挿入部２１におけるフレキシブル配線板１側の縁２１ａとマーク３の第２ライン３２とが、平行でないことを視認してもよい。
【００２９】
以上説明したように、第１ライン３１（マーク３）は、コネクタ２Ａに設けられ第１方向Ｄ１に延びるコネクタ側マーキング３３，３４に対して第２方向Ｄ２で対応する位置に設けられる。従って、第１ライン３１とコネクタ２の挿入部２１とが互いに直交していることを視認することに加えて、コネクタ側マーキング３３，３４と第１ライン３１とが一直線上に配置されていることを視認することにより、フレキシブル配線板１がコネクタ２に斜め方向に挿入されていないことがより確実に確認できる。
【００３０】
[第３実施形態]
第３実施形態に係るフレキシブル配線板について説明する。図４は、第３実施形態に係る配線板ユニットを示す模式図である。第２実施形態では、コネクタ２Ａにおける挿入部２１及び支持部２２の双方にコネクタ側マーキングを設けたが、第３実施形態においては、挿入部２１のみにコネクタ側マーキング３５を設けている。以下に説明する。
【００３１】
図４に示すように、配線板ユニット１００Ｂは、フレキシブル配線板１と、コネクタ２Ｂと、を備える。挿入部２１にコネクタ側マーキング３５を設けている。コネクタ側マーキング３５は、第１方向Ｄ１に沿って延びる。コネクタ側マーキング３５は、挿入部２１における第２方向Ｄ２の中央に配置される。即ち、コネクタ側マーキング３５は、マーク３の第１ライン３１と第２方向Ｄ２で対応する位置に設けられる。また、コネクタ側マーキング３５は、例えば、凸部（突起）、凹部（窪み）、印刷、及び塗料によるマーキングなどが適用可能である。
【００３２】
以上説明したように、本実施形態では、挿入部２１のみにコネクタ側マーキング３５を設けている。このように、第２実施形態よりも少ない数のコネクタ側マーキング３５によっても、フレキシブル配線板１がコネクタ２に斜め方向に挿入されていないことが確認できる。
【００３３】
[第４実施形態]
第４実施形態に係るフレキシブル配線板について説明する。図５は、第４実施形態に係る配線板ユニットを示す模式図である。
【００３４】
図５に示すように、配線板ユニット１００Ｃは、フレキシブル配線板１と、コネクタ２Ｃと、を備える。
【００３５】
補強板４Ｃには、第２方向Ｄ２の両側にスリット３８，３９が設けられる。スリット３８，３９は、第１方向Ｄ１に直線状に延びるマーク３Ｃである。スリット３８，３９は、補強板４Ｃにおいてコネクタ２Ｃの反対側を切り欠いた切欠きである。コネクタ側マーキング３６，３７は、第１方向Ｄ１に直線状に延びる。コネクタ側マーキング３６，３７は、挿入部２１における幅方向の両側に一対に配置される。コネクタ側マーキング３６は、マーク３Ｃのスリット３８と第２方向Ｄ２で対応する位置に設けられる。また、コネクタ側マーキング３７は、マーク３Ｃのスリット３９と第２方向Ｄ２で対応する位置に設けられる。
【００３６】
以上説明したように、本実施形態では、補強板４Ｃには、マーク３Ｃであるスリット３８，３９が設けられる。従って、マーク３Ｃとして、スリット３８，３９を適用することもできる。
【００３７】
[第５実施形態]
第５実施形態に係るフレキシブル配線板について説明する。図６は、第５実施形態に係る配線板ユニットを示す模式図である。
【００３８】
図６に示すように、配線板ユニット１００Ｄは、フレキシブル配線板１と、コネクタ２Ｄと、を備える。
【００３９】
補強板４Ｄには、第２方向Ｄ２の両側に第３ライン４０及び第４ライン４４が設けられる。第３ライン４０及び第４ライン４４は、第１方向Ｄ１に直線状に延びるマーク３Ｄである。コネクタ側マーキング３６，３７は、第１方向Ｄ１に直線状に延びる。コネクタ側マーキング３６，３７は、第４実施形態と同一である。即ち、コネクタ側マーキング３６は、マーク３Ｄの第３ライン４０と第２方向Ｄ２で対応する位置に設けられる。また、コネクタ側マーキング３７は、マーク３Ｄの第３ライン４０と第２方向Ｄ２で対応する位置に設けられる。
【００４０】
以上説明したように、本実施形態では、補強板４Ｄの幅方向（第２方向Ｄ２）の両側に第３ライン４０及び第４ライン４４が設けられる。このように、補強板４Ｄの幅方向の両側に複数（２本）のマーク３Ｄを配置することにより、１本の第１ライン３１（マーク３）を配置する場合よりも、フレキシブル配線板１とコネクタ２Ｄとの幅方向の位置ずれを容易に視認することができる。
【００４１】
以上、本発明の実施形態を例示したが、前記実施形態はあくまで一例であって、発明の範囲を限定することは意図していない。前記実施形態は、その他の様々な形態で実施されることが可能であり、発明の要旨を逸脱しない範囲で、種々の省略、置き換え、組み合わせ、変更を行うことができる。前記実施形態は、発明の範囲や要旨に含まれるとともに、特許請求の範囲に記載された発明とその均等の範囲に含まれる。本発明は、前記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【００４２】
例えば、前述した第１から第３実施形態において、第２ライン３２をマーク３の構成要素としたが、第２ライン３２は必ずしも必要でない。
【符号の説明】
【００４３】
１  フレキシブル配線板
１３  本体部
２，２Ａ，２Ｂ，２Ｃ，２Ｄ  コネクタ
２１  挿入部
３，３Ｃ，３Ｄ  マーク
３１  第１ライン（マーク）
３３，３４，３５，３６，３７  コネクタ側マーキング
３８  スリット（マーク）
３９  スリット（マーク）
４，４Ｃ，４Ｄ  補強板
４０  第３ライン（マーク）
４４  第４ライン（マーク）
Ｄ１  第１方向
Ｄ２  第２方向 
【図１】
2020155723.tif 000003
【図２】
2020155723.tif 000004
【図３】
2020155723.tif 000005
【図４】
2020155723.tif 000006
【図５】
2020155723.tif 000007
【図６】
2020155723.tif 000008